(57)【要約】【課題】光ディスクの記録面と垂直なケース側面からリーダ／ライタを近づけた場合でも、光ディスク上の非接触型ＩＣチップと確実に通信できるようにする。【解決手段】ベース部１１１とカバー部１１２とはそれぞれの端部側を中心として回転可能な状態で接続されて、ディスクトレイ１１３はベース部１１１の内面に嵌着される。ディスクトレイ１１３には、凸状のディスク保持部１１６が設けられるとともに、アンテナコイル２１および２２が基板上に形成されたブースタアンテナユニット２０が固着される。アンテナコイル２１は、その中央部がディスク保持部１１６の中心線上に位置するように配置され、アンテナコイル２２は、ケース筐体の側面部１１７に対して平行な状態で当接または近接して配置される。さらに、高透磁率材料からなるコア部材３０ａの突起部３２が、ディスク保持部１１６の中央部に挿入される。【選択図】図５
2008210484.tif 000002
【特許請求の範囲】
【請求項１】
光ディスクが収納される光ディスクケースにおいて、
表面カバー部および裏面カバー部と、
第１のアンテナと第２のアンテナとが接続されてそれぞれが送受信する信号を中継するブースタアンテナと、
高透磁率材料により構成されたコア部材と、
を有し、
前記表面カバー部と前記裏面カバー部とがそれぞれの主面の端部側を中心として回転可能な状態で接続されて、前記表面カバー部および前記裏面カバー部の各主面が対向するように閉塞されたときに箱形の外形をなし、前記裏面カバー部の主面の内側にその主面と平行に前記光ディスクが保持されるように構成され、
前記第１のアンテナの中央部が、前記光ディスクが前記裏面カバー部に保持されたときに当該光ディスクの中心線上に位置し、前記第１のアンテナの外形が前記裏面カバー部の主面と平行であり、前記第２のアンテナが、前記表面カバー部と前記裏面カバー部とを閉塞したときの１つの側面に対して当接または近接するように、前記ブースタアンテナが配設され、
前記コア部材が、前記表面カバー部と前記裏面カバー部とを閉塞したときのケース内部において、前記光ディスクが前記裏面カバー部に保持されたときの当該光ディスクの中心孔と、前記第１のアンテナの中央部とに貫通するように配設されたことを特徴とする光ディスクケース。
【請求項２】
前記ブースタアンテナの前記第２のアンテナは、その外径が、前記表面カバー部と前記裏面カバー部とを閉塞したときの前記側面に対して平行な状態で当接または近接するように配設されたことを特徴とする請求項１記載の光ディスクケース。
【請求項３】
前記裏面カバー部の主面の内側に、前記光ディスクに形成された中心孔に嵌合して前記光ディスクを保持するための凸状保持部が設けられ、
前記コア部材は、前記凸状保持部の中央部に挿入されていることを特徴とする請求項１記載の光ディスクケース。
【請求項４】
前記コア部材は、前記光ディスクに形成された中心孔に嵌合して前記光ディスクを保持するための凸状保持部として、前記裏面カバー部の主面の内側に設けられたことを特徴とする請求項１記載の光ディスクケース。
【請求項５】
前記コア部材は、前記第１のアンテナの外形を覆い尽くす広さを持つ平板状の平板コア部と、前記平板コア部の中央部に突出して設けられた中央コア部とを備え、
前記平板コア部は、その主面が前記裏面カバー部の主面と平行になるように配設され、
前記中央コア部は、前記光ディスクが前記裏面カバー部に保持されたときの当該光ディスクの中心孔と、前記第１のアンテナの中央部とに貫通するように配設されたことを特徴とする請求項１記載の光ディスクケース。
【請求項６】
一方の面が前記光ディスクが載置されるディスク載置面とされ、前記ディスク載置面の中心部に、前記光ディスクに形成された中心孔に嵌合して前記光ディスクを保持するための凸状保持部が設けられたディスクトレイ部材を備え、
前記ディスクトレイ部材が前記裏面カバー部の内側に嵌着され、前記裏面カバー部に対して、別部材として構成された前記表面カバー部が回転可能な状態で連結された構成を有し、
前記ブースタアンテナが、前記表面カバー部と前記裏面カバー部とが閉塞されたときのケース内部に配設されたことを特徴とする請求項５記載の光ディスクケース。
【請求項７】
前記ブースタアンテナの前記第１のアンテナは、前記ディスクトレイ部材と前記裏面カバー部との間に配設され、
前記コア部材の前記平板コア部は、前記第１のアンテナと前記裏面カバー部との間に配設され、
前記コア部材の前記中央コア部は、前記ディスクトレイ部材の前記凸状保持部の中央部に挿入されていることを特徴とする請求項６記載の光ディスクケース。
【請求項８】
前記ブースタアンテナの少なくとも前記第１のアンテナの形成領域は、前記ディスクトレイ部材の前記ディスク載置面の反対面に固着され、
前記コア部材の前記平板コア部は、前記ディスクトレイ部材の前記ディスク載置面の反対面に対して、前記第１のアンテナを挟んで固着されたことを特徴とする請求項７記載の光ディスクケース。
【請求項９】
前記ブースタアンテナは、前記第１のアンテナが前記凸状保持部を囲むように、前記ディスクトレイの前記ディスク載置面に固着された状態で配設されたことを特徴とする請求項６記載の光ディスクケース。
【請求項１０】
前記コア部材は、前記ディスクトレイ部材の前記ディスク載置面の反対面に固着され、前記中央コア部は前記凸状保持部の中央部に挿入されていることを特徴とする請求項９記載の光ディスクケース。
【請求項１１】
前記ディスクトレイ部材の中央部に形成されたトレイ中央孔に、前記コア部材の前記平板コア部が配設されて、前記コア部材の前記中央コア部が前記凸状保持部として形成され、
前記ブースタアンテナは、前記第１のアンテナが前記凸状保持部を囲むように、前記ディスクトレイの前記ディスク載置面および前記平板コア部のディスク保持側の面に固着された状態で配設されたことを特徴とする請求項６記載の光ディスクケース。
【請求項１２】
前記コア部材の前記平板コア部は、一方の面が前記光ディスクが載置されるディスク載置面とされたディスクトレイ部材として形成され、
前記コア部材の前記中央コア部は、前記光ディスクに形成された中心孔に嵌合して前記光ディスクを保持するための凸状保持部として、前記ディスク載置面の中心部に形成され、
前記ディスクトレイ部材が前記裏面カバー部の内側に嵌着され、前記裏面カバー部に対して、別部材として構成された前記表面カバー部が回転可能な状態で連結された構成を有し、
前記ブースタアンテナは、前記第１のアンテナが前記凸状保持部を囲むように、前記ディスクトレイの前記ディスク載置面に固着された状態で配設されたことを特徴とする請求項５記載の光ディスクケース。
【請求項１３】
前記第１のアンテナの外形を覆い尽くす広さを持つ略平板状の外形をなし、前記裏面カバー部に前記光ディスクが保持されて、前記表面カバー部と前記裏面カバー部とを閉塞したときに、保持された前記光ディスクの中心線上にその中央部が位置するように、前記表面カバー部の主面の内側に配設された高透磁率部材をさらに有することを特徴とする請求項１記載の光ディスクケース。
【請求項１４】
前記高透磁率部材の中央部は、前記表面カバー部とは逆方向に突出していることを特徴とする請求項１３記載の光ディスクケース。
【請求項１５】
前記高透磁率部材の前記平板部の外縁部は、前記表面カバー部とは逆方向に突出していることを特徴とする請求項１３記載の光ディスクケース。
【請求項１６】
前記第２のアンテナが、前記表面カバー部および前記裏面カバー部の回転中心側の側面に対して当接または近接するように、前記ブースタアンテナが配設されたことを特徴とする請求項１記載の光ディスクケース。
【請求項１７】
前記ブースタアンテナは、前記第１のアンテナと前記第２のアンテナがフレキシブル基板上に一体に形成されたブースタアンテナユニットとして構成されることを特徴とする請求項１記載の光ディスクケース。
【請求項１８】
前記第１のアンテナと前記第２のアンテナは、スパイラル状またはループ状に形成されたことを特徴とする請求項１記載の光ディスクケース。
【請求項１９】
光ディスクを保持する機能を備え、また、表面カバー部と裏面カバー部とがそれぞれの主面の端部側を中心として回転可能な状態で接続されて構成されるケース筐体の内部に、前記光ディスクの保持面を前記ケース筐体の内側に向けて前記裏面カバー部に嵌着されて配設されることで、前記光ディスクが収納される光ディスクケースを構成する光ディスクトレイにおいて、
一方の面が、前記光ディスクが載置されるディスク載置面とされたトレイ本体部と、
前記ディスク載置面の中央部に設けられ、前記光ディスクに形成された中央孔に嵌合して前記光ディスクを保持する凸状保持部と、
略平板状に形成され、第１のアンテナと第２のアンテナとが接続されてそれぞれが送受信する信号を中継するブースタアンテナと、
高透磁率材料により構成されたコア部材と、
を有し、
前記第１のアンテナが、その中央部が前記凸状保持部の中心線上に位置するように、前記トレイ本体部の前記ディスク載置面またはその裏面に配置されて固着され、前記第２のアンテナが、前記トレイ本体部の端部から突出するように、前記ブースタアンテナが配設され、
前記コア部材が、前記凸状保持部の中央部に挿入されていることを特徴とする光ディスクトレイ。
【請求項２０】
前記コア部材は、前記第１のアンテナの外形を覆い尽くす広さを持つ平板状の平板コア部と、前記平板コア部の中央部に突出して設けられた中央コア部とを備え、
前記ブースタアンテナは、前記第１のアンテナが前記ディスク載置面の裏面に配置されるように前記トレイ本体部に対して固着され、
前記平板コア部は、前記ディスク載置面の裏面に前記第１のアンテナを挟んで固着され、
前記中央コア部は、前記凸状保持部の中央部に挿入されていることを特徴とする請求項１９記載の光ディスクトレイ。
【請求項２１】
前記コア部材は、前記第１のアンテナの外形を覆い尽くす広さを持つ平板状の平板コア部と、前記平板コア部の中央部に突出して設けられた中央コア部とを備え、
前記ブースタアンテナは、前記第１のアンテナが前記凸状保持部を囲むように、前記トレイ本体部の前記ディスク載置面に固着された状態で配設され、
前記平板コア部は、前記ディスク載置面の裏面に固着され、
前記中央コア部は、前記凸状保持部の中央部に挿入されていることを特徴とする請求項１９記載の光ディスクトレイ。
【請求項２２】
前記第２のアンテナの外形が前記第１のアンテナの外形と垂直になるように、前記トレイ本体部の端面において前記ブースタアンテナが折り曲げられていることを特徴とする請求項１９記載の光ディスクトレイ。
【請求項２３】
光ディスクを保持する機能を備え、また、表面カバー部と裏面カバー部とがそれぞれの主面の端部側を中心として回転可能な状態で接続されて構成されるケース筐体の内部に、前記光ディスクの保持面を前記ケース筐体の内側に向けて前記裏面カバー部に嵌着されて配設されることで、前記光ディスクが収納される光ディスクケースを構成する光ディスクトレイにおいて、
一方の面が、前記光ディスクが載置されるディスク載置面とされたトレイ本体部と、
前記ディスク載置面の中央部に設けられ、前記光ディスクに形成された中央孔に嵌合して前記光ディスクを保持する、高透磁率材料からなる凸状保持部と、
略平板状に形成され、第１のアンテナと第２のアンテナとが接続されてそれぞれが送受信する信号を中継するブースタアンテナと、
を有し、
前記第１のアンテナが、前記凸状保持部を囲むように前記トレイ本体部の前記ディスク載置面に固着され、前記第２のアンテナが、前記トレイ本体部の端部から突出するように、前記ブースタアンテナが配設されたことを特徴とする光ディスクトレイ。
【請求項２４】
前記第１のアンテナの外形を覆い尽くす広さを持つ平板状の平板コア部と、前記平板コア部の中央部に設けられた前記凸状保持部とを備えた、高透磁率材料からなるコア部材を有し、
前記トレイ本体部における前記ディスク載置面の中央部に形成されたトレイ中央孔に、前記コア部材の前記平板コア部が配設されたことを特徴とする請求項２３記載の光ディスクトレイ。
【請求項２５】
光ディスクを保持する機能を備え、また、表面カバー部と裏面カバー部とがそれぞれの主面の端部側を中心として回転可能な状態で接続されて構成されるケース筐体の内部に、前記光ディスクの保持面を前記ケース筐体の内側に向けて前記裏面カバー部に嵌着されて配設されることで、前記光ディスクが収納される光ディスクケースを構成する光ディスクトレイにおいて、
一方の面が、前記光ディスクが載置されるディスク載置面とされたトレイ本体部と、
前記ディスク載置面の中央部に設けられ、前記光ディスクに形成された中央孔に嵌合して前記光ディスクを保持する凸状保持部と、
略平板状に形成され、第１のアンテナと第２のアンテナとが接続されてそれぞれが送受信する信号を中継するブースタアンテナと、
を有し、
前記第１のアンテナが、前記凸状保持部を囲むように前記トレイ本体部の前記ディスク載置面に固着され、前記第２のアンテナが、前記トレイ本体部の端部から突出するように、前記ブースタアンテナが配設され、
前記トレイ本体部と前記凸状保持部とが高透磁率材料により一体に形成されたことを特徴とする光ディスクトレイ。
【請求項２６】
それぞれの主面の端部側を中心として回転可能な状態で接続された表面カバー部および裏面カバー部と、前記裏面カバー部に嵌着され、一方の面が前記光ディスクが載置されるディスク載置面とされて、前記ディスク載置面の裏面を前記裏面カバー部に対向させた状態で前記裏面カバー部に嵌着されるディスクトレイ部材とを備え、前記表面カバー部および前記裏面カバー部の各主面が前記ディスクトレイ部材を挟んで対向するように閉塞されたときに箱形の外形をなすように構成された光ディスクケースの製造方法において、
略平板状に形成されて、第１のアンテナと第２のアンテナとが接続されてそれぞれが送受信する信号を中継するブースタアンテナを、前記ディスクトレイ部材に取り付けるブースタアンテナ取り付け工程と、
高透磁率材料により構成されたコア部材を、その一部が前記ディスク載置面の中央部を貫通するように、前記ディスクトレイ部材に取り付けるコア部材取り付け工程と、
を有し、
前記ブースタアンテナ取り付け工程は、
前記第１のアンテナが、その中央部が前記ディスク載置面の中心線上に位置するように、前記トレイ本体部の前記ディスク載置面またはその裏面に配置され、前記第２のアンテナが、前記ディスクトレイ部材の端部から突出するように、前記ブースタアンテナを前記ディスクトレイ部材に対して固着する固着工程と、
前記固着工程の直前または直後において、前記第２のアンテナの外形が前記第１のアンテナの外形に対して垂直になるように前記ブースタアンテナを折り曲げて、前記ディスクトレイ部材が前記裏面カバー部に嵌着されたときに、前記第２のアンテナが、前記裏面カバー部の１つの内側面に対して平行な状態で当接または近接するようにする折り曲げ工程と、
を含むことを特徴とする光ディスクケースの製造方法。
【請求項２７】
前記ディスクトレイ部材の前記ディスク載置面の中央部には、前記光ディスクに形成された中央孔に嵌合して前記光ディスクを保持する凸状保持部が一体に形成され、
前記コア部材取り付け工程では、前記コア部材の一部を前記凸状保持部の中央部に挿入することを特徴とする請求項２６記載の光ディスクケースの製造方法。
【請求項２８】
前記ブースタアンテナ取り付け工程では、前記第１のアンテナが前記ディスク載置面に配置されるように前記ブースタアンテナを前記ディスクトレイ部材に取り付け、
前記コア部材取り付け工程では、前記光ディスクに形成された中央孔に嵌合して前記光ディスクを保持する凸状保持部として形成された前記コア部材を、前記ディスクトレイ部材の前記ディスク載置面の中央部に形成されたトレイ中央孔に取り付けることを特徴とする請求項２６記載の光ディスクケースの製造方法。
【請求項２９】
前記ブースタアンテナおよび前記コア部材が取り付けられた前記ディスクトレイ部材を、前記裏面カバー部に嵌着させて取り付けるディスクトレイ取り付け工程をさらに有することを特徴とする請求項２６記載の光ディスクケースの製造方法。
【請求項３０】
前記ブースタアンテナは、前記ブースタアンテナ取り付け工程の前に、前記第１のアンテナと前記第２のアンテナがフレキシブル基板上に一体に形成されたブースタアンテナユニットとしてあらかじめ製造されることを特徴とする請求項２６記載の光ディスクケースの製造方法。
【請求項３１】
それぞれの主面の端部側を中心として回転可能な状態で接続された表面カバー部および裏面カバー部と、前記裏面カバー部に嵌着され、一方の面が前記光ディスクが載置されるディスク載置面とされて、前記ディスク載置面の中央部に形成された凸状保持部を前記光ディスクに形成された中央孔に嵌合させることによって前記光ディスクを保持するディスクトレイ部材とを備え、前記表面カバー部および前記裏面カバー部の各主面が前記ディスクトレイ部材を挟んで対向するように閉塞されたときに箱形の外形をなすように構成された光ディスクケースの製造方法において、
前記ディスクトレイ部材を高透磁率材料により一体に形成するトレイ形成工程と、
略平板状に形成されて、第１のアンテナと第２のアンテナとが接続されてそれぞれが送受信する信号を中継するブースタアンテナを、前記ディスクトレイ部材に取り付けるブースタアンテナ取り付け工程と、
を有し、
前記ブースタアンテナ取り付け工程は、
前記第１のアンテナが、その中央部が前記凸状保持部を囲むように、前記ディスクトレイ部材の前記ディスク載置面に配置され、前記第２のアンテナが、前記ディスクトレイ部材の端部から突出するように、前記ブースタアンテナを前記ディスクトレイ部材に対して固着する固着工程と、
前記固着工程の直前または直後において、前記第２のアンテナの外形が前記第１のアンテナの外形に対して垂直になるように前記ブースタアンテナを折り曲げて、前記ディスクトレイ部材が前記裏面カバー部に嵌着されたときに、前記第２のアンテナが、前記裏面カバー部の１つの内側面に対して平行な状態で当接または近接するようにする折り曲げ工程と、
を含むことを特徴とする光ディスクケースの製造方法。
【請求項３２】
一方の面が光ディスクが載置されるディスク載置面とされ、また、表面カバー部と裏面カバー部とがそれぞれの主面の端部側を中心として回転可能な状態で接続されて構成されるケース筐体の内部に、前記ディスク載置面を前記ケース筐体の内側に向けて前記裏面カバー部に嵌着されて配設されることで、前記光ディスクが収納される光ディスクケースを構成する光ディスクトレイの製造方法において、
略平板状に形成されて、第１のアンテナと第２のアンテナとが接続されてそれぞれが送受信する信号を中継するブースタアンテナを、前記光ディスクトレイに取り付ける工程であって、前記第１のアンテナが、その中央部が前記ディスク載置面の中心線上に位置するように、前記トレイ本体部の前記ディスク載置面またはその裏面に配置され、前記第２のアンテナが、前記ディスクトレイ部材の端部から突出するように、前記ブースタアンテナを前記ディスクトレイ部材に対して取り付けるブースタアンテナ取り付け工程と、
前記ブースタアンテナ取り付け工程の直前または直後において、前記第２のアンテナの外形が前記第１のアンテナの外形に対して垂直になるように前記ブースタアンテナを折り曲げる折り曲げ工程と、
高透磁率材料により構成されたコア部材を、その一部が前記ディスク載置面の中央部を貫通するように、前記ディスクトレイ部材に取り付けるコア部材取り付け工程と、
を含むことを特徴とする光ディスクトレイの製造方法。
【請求項３３】
光ディスクに形成された中央孔に嵌合して前記光ディスクを保持するための凸状保持部を備え、また、表面カバー部と裏面カバー部とがそれぞれの主面の端部側を中心として回転可能な状態で接続されて構成されるケース筐体の内部に、前記光ディスクの保持面を前記ケース筐体の内側に向けて前記裏面カバー部に嵌着されて配設されることで、前記光ディスクが収納される光ディスクケースを構成する光ディスクトレイの製造方法において、
前記光ディスクトレイを高透磁率材料により一体に形成するトレイ形成工程と、
略平板状に形成されて、第１のアンテナと第２のアンテナとが接続されてそれぞれが送受信する信号を中継するブースタアンテナを、前記光ディスクトレイに取り付ける工程であって、前記第１のアンテナが、その中央部が前記凸状保持部を囲むように、前記光ディスクトレイにおける前記光ディスクの保持面に配置され、前記第２のアンテナが、前記ディスクトレイ部材の端部から突出するように、前記ブースタアンテナを前記ディスクトレイ部材に対して取り付けるブースタアンテナ取り付け工程と、
前記ブースタアンテナ取り付け工程の直前または直後において、前記第２のアンテナの外形が前記第１のアンテナの外形に対して垂直になるように前記ブースタアンテナを折り曲げる折り曲げ工程と、
を含むことを特徴とする光ディスクトレイの製造方法。
【発明の詳細な説明】
【技術分野】
【０００１】
本発明は、光ディスクが収納される光ディスクケース、このケースに搭載される光ディスクトレイ、およびこれらの製造方法に関し、特に、非接触型ＩＣチップが搭載された光ディスクを収納するのに適した光ディスクケース、光ディスクトレイ、およびこれらの製造方法に関する。
【背景技術】
【０００２】
近年、映像などの大容量データを記録可能な記録媒体として、ＣＤ（Compact Disc）、ＤＶＤ（Digital Versatile Disk）などの光ディスクが広く普及している。また、光ディスクとしては、ＲＯＭ（Read Only Memory）型と呼ばれる再生専用ディスクだけでなく、“Recordable”と呼ばれる追記型ディスクや“ReWritable”と呼ばれる書き換え型ディスクも一般的となっている。
【０００３】
一方、端末側のリーダ／ライタとの間で非接触で情報の受け渡しが可能な非接触型ＩＣ（Integrated Circuit）チップは、端末装置との通信時に物理的接触が不要という要因などによって接続開始から接続終了までの処理時間を短くでき、また、高度な相互認証および暗号処理による高いセキュリティを持つといった特徴を有している。このため、電子マネーや交通乗車券、入館証などの用途で普及が進んでいる。
【０００４】
そして、このような優れた特徴を持つ非接触型ＩＣチップを、光ディスクの基板上に搭載することが従来から考えられている。例えば、２枚のディスク基板のそれぞれに凹部を形成したうえで、ディスク基板を貼り合わせたときにそれぞれの凹部の間に形成される間隙に、ＩＣチップやその送受信用のアンテナを一体のモジュールとして配置した光ディスクが考えられている（例えば、特許文献１参照）。
【０００５】
ところで、非接触型ＩＣチップとリーダ／ライタとの間では、それぞれが備えているアンテナによって電磁波を用いて通信を行っている。しかし、それぞれのアンテナの形状によっては、電磁波の特性上、送受信の際に指向性が生じる場合があるため、各アンテナが発生する電磁波の強度や互いのアンテナの位置関係によっては、通信できない事態が生じる。
【０００６】
特に、通信周波数１３．５６ＭＨｚの場合に代表される電磁誘導方式の非接触型ＩＣカードやＲＦＩＤ（Radio Frequency Identification）では、非接触型ＩＣチップのアンテナコイルとリーダ／ライタ側のアンテナコイルとが対向しているときに、通信状態が良好になるようにされており、各アンテナコイルの方向が直交しているとき（すなわち、アンテナコイルの法線が直交しているとき）には通信できない場合がある。
【０００７】
これに対して、アンテナ同士の位置関係の問題から良好な通信ができない場合に、ブースタアンテナと呼ばれる中継用のアンテナを用いて、通信状態を改善する技術が知られている。例えば、記録媒体の収納ケースにブースタアンテナを設けることで、記録媒体に搭載された非接触型ＩＣチップと、収納棚に設けられたリーダ／ライタとの間で通信できるようにした情報記憶媒体管理システムが考えられていた（例えば、特許文献２参照）。
【特許文献１】特開平９−２４５３８１号公報（段落番号〔００１１〕〜〔００１４〕、図１）
【特許文献２】特開２００５−３３９１７０号公報（段落番号〔００２０〕〜〔００２５〕、図１）
【発明の開示】
【発明が解決しようとする課題】
【０００８】
ところで、光ディスクは通常、専用の収納ケースに入れられて保管されることが多く、収納ケースに入れられた光ディスクが多数、収納棚に載置されることも多い。従って、上述したような非接触型ＩＣチップが搭載された光ディスクについても、同様に収納ケースに入れられた状態で収納棚に載置される事態が当然考えられる。しかし、このような状態では、収納棚の光ディスクは互いに記録面が近接して対向した状態となるので、記録面に平行にリーダ／ライタのアンテナ面を近づけることはできず、非接触型ＩＣチップと通信することは非常に困難になる。
【０００９】
例えば、収納ケースにおいて光ディスクの記録面と平行をなす面（以下、ケース主面と呼ぶ）が互いに近接して並べられた場合において、通信を良好に行うためにリーダ／ライタのアンテナ面と光ディスク上のアンテナとを対向状態に近づけるためには、隣接する収納ケース同士の間隔を空けたり、個々の収納ケースを引き出すといった動作を行わなければならない。このため、収納ケース内の複数の光ディスクの非接触型ＩＣチップに対して順次連続して通信しようとすると、上記のような煩雑な動作が必要となり、時間がかかってしまう。
【００１０】
このように、光ディスクが収納ケースに入れられて収納棚に載置された状態でも、ケース主面に対して垂直なケース側面からリーダ／ライタをかざすことで、光ディスク上の非接触型ＩＣチップとの間で容易に通信できるようにすることが望まれている。特に、光ディスクの収納ケースとしては、ジュエルケース、トールケースなどに代表される、いくつかの特定の構造を持つものが広く普及しており、これらの収納ケースの構造を大きく変えることなく、上記の状態で非接触型ＩＣチップと容易に通信できることが要望されている。
【００１１】
また、上記の特許文献２では、光ディスクが収納ケースに入れられて収納棚に載置された状態で、光ディスクの非接触型ＩＣチップと通信するための方法として、非接触型ＩＣチップのための読取コイル、またはその読取コイルが複数配置されたアンテナボードを、仕切り板や棚板と一体となるように配置した収納棚を用い、その所定の位置に収納ケースを載置したときにケース内の非接触型ＩＣチップと通信可能になるよう、収納ケースにブースタを設けている。しかし、この構成では読取装置と一体となった専用の収納棚が必要であるので、すでにユーザが使用している収納棚では対応できず、また、持ち運び可能な汎用の読取装置を使用することもできない。
【００１２】
本発明はこのような課題に鑑みてなされたものであり、光ディスクの記録面と垂直なケース側面付近にリーダ／ライタを近づけた場合でも、光ディスク上の非接触型ＩＣチップと容易に通信でき、かつ、既存のものと基本構造に大きな変化のない光ディスクケース、このケースに搭載される光ディスクトレイ、およびこれらの製造方法を提供することを目的とする。
【課題を解決するための手段】
【００１３】
本発明では上記課題を解決するために、光ディスクが収納される光ディスクケースにおいて、表面カバー部および裏面カバー部と、第１のアンテナと第２のアンテナとが接続されてそれぞれが送受信する信号を中継するブースタアンテナと、高透磁率材料により構成されたコア部材とを有し、前記表面カバー部と前記裏面カバー部とがそれぞれの主面の端部側を中心として回転可能な状態で接続されて、前記表面カバー部および前記裏面カバー部の各主面が対向するように閉塞されたときに箱形の外形をなし、前記裏面カバー部の主面の内側にその主面と平行に前記光ディスクが保持されるように構成され、前記第１のアンテナの中央部が、前記光ディスクが前記裏面カバー部に保持されたときに当該光ディスクの中心線上に位置し、前記第１のアンテナの外形が前記裏面カバー部の主面と平行であり、前記第２のアンテナが、前記表面カバー部と前記裏面カバー部とを閉塞したときの１つの側面に対して当接または近接するように、前記ブースタアンテナが配設され、前記コア部材が、前記表面カバー部と前記裏面カバー部とを閉塞したときのケース内部において、前記光ディスクが前記裏面カバー部に保持されたときの当該光ディスクの中心孔と、前記第１のアンテナの中央部とに貫通するように配設されたことを特徴とする光ディスクケースが提供される。
【００１４】
このような光ディスクケースでは、裏面カバー部の主面の内側において光ディスクが保持される。また、ブースタアンテナの第１のアンテナは、その中央部が、保持された光ディスクの中心線上に位置し、かつ、その外形が裏面カバー部の主面と平行な状態となるように配置される。従って、非接触型のＩＣチップと、光ディスクの回転中心を中心として形成された非接触通信用のアンテナとが設けられた光ディスクが裏面カバー部に保持されたときに、光ディスク上のアンテナと第１のアンテナとの間で信号が送受信されるようになる。ここで、高透磁率材料により構成されたコア部材は、表面カバー部と裏面カバー部とを閉塞したときのケース内部において、保持された光ディスクの中心孔と、第１のアンテナの中央部とに貫通するように配設される。従って、コア部材は、光ディスク上のアンテナと第１のアンテナの双方の磁気コアとして機能する。
【００１５】
一方、ブースタアンテナの第２のアンテナは、表面カバー部と裏面カバー部を閉塞したときの１つの側面に対して当接または近接するように配置される。従って、光ディスクケースを閉じた状態で、第２のアンテナの位置に対応する側面にＩＣチップのリーダ／ライタが近接されたとき、このリーダ／ライタが備えるアンテナと第２のアンテナとの間で信号が送受信されるようになる。
【００１６】
また、本発明では上記課題を解決するために、光ディスクを保持する機能を備え、また、表面カバー部と裏面カバー部とがそれぞれの主面の端部側を中心として回転可能な状態で接続されて構成されるケース筐体の内部に、前記光ディスクの保持面を前記ケース筐体の内側に向けて前記裏面カバー部に嵌着されて配設されることで、前記光ディスクが収納される光ディスクケースを構成する光ディスクトレイにおいて、一方の面が、前記光ディスクが載置されるディスク載置面とされたトレイ本体部と、前記ディスク載置面の中央部に設けられ、前記光ディスクに形成された中央孔に嵌合して前記光ディスクを保持する凸状保持部と、略平板状に形成され、第１のアンテナと第２のアンテナとが接続されてそれぞれが送受信する信号を中継するブースタアンテナと、高透磁率材料により構成されたコア部材とを有し、前記第１のアンテナが、その中央部が前記凸状保持部の中心線上に位置するように、前記トレイ本体部の前記ディスク載置面またはその裏面に配置されて固着され、前記第２のアンテナが、前記トレイ本体部の端部から突出するように、前記ブースタアンテナが配設され、前記コア部材が、前記凸状保持部の中央部に挿入されていることを特徴とする光ディスクトレイが提供される。
【００１７】
このような光ディスクトレイでは、凸状保持部に対して光ディスクの中心孔を嵌合させることで、この光ディスクが保持される。また、ブースタアンテナの第１のアンテナは、その中央部が凸状保持部の中心線上に位置するように、トレイ本体部のディスク載置面またはその裏面に配置されて固着される。従って、非接触型のＩＣチップと、光ディスクの回転中心を中心として形成された非接触通信用のアンテナとが設けられた光ディスクが凸状保持部に保持されたときに、光ディスク上のアンテナと第１のアンテナとの間で信号を送受信することが可能となる。ここで、高透磁率材料により構成されたコア部材は、凸状保持部の中央部に挿入される。従って、コア部材は、光ディスク上のアンテナと第１のアンテナの双方の磁気コアとして機能する。
【００１８】
一方、ブースタアンテナの第２のアンテナは、トレイ本体部の端部から突出するように配置されるので、光ディスクトレイを光ディスクケースの裏面カバー部に嵌着したときに、この第２のアンテナは、表面カバー部と裏面カバー部を閉塞したときの１つの側面に対して当接または近接するように配置される。従って、光ディスクケースを閉じた状態で、第２のアンテナの位置に対応する側面にＩＣチップのリーダ／ライタが近接されたとき、このリーダ／ライタが備えるアンテナと第２のアンテナとの間で信号が送受信されるようになる。
【発明の効果】
【００１９】
本発明の光ディスクケースによれば、非接触型のＩＣチップと、光ディスクの回転中心を中心として形成された非接触通信用のアンテナとが設けられた光ディスクが裏面カバー部に保持され、かつ、この光ディスクケースを閉じた状態で、第２のアンテナの位置に対応するケース側面にＩＣチップのリーダ／ライタを近接させることで、リーダ／ライタと光ディスク上のＩＣチップとの間で確実に通信できるようになる。また、コア部材を設けたことで、光ディスク上のアンテナと第１のアンテナとの電磁的な結合度合いが高まり、結果的にリーダ／ライタとＩＣチップとの間の通信の確実性が高まる。そして、すでに広く普及している光ディスクケースの基本構成を大きく変えることなく、その光ディスクケースにブースタアンテナおよびコア部材を配設することで、上記効果を得ることが可能になる。
【００２０】
また、本発明の光ディスクトレイによれば、この光ディスクトレイを、表面カバー部と裏面カバー部とがそれぞれの主面の端部側を中心として回転可能な状態で接続されて構成される光ディスクケースのケース筐体の内部に、光ディスクの保持面をケース筐体の内側に向けて裏面カバー部に嵌着することで配設し、かつ、非接触型のＩＣチップと、光ディスクの回転中心を中心として形成された非接触通信用のアンテナとが設けられた光ディスクを凸状保持部によって保持して、その光ディスクケースを閉じた状態において、第２のアンテナの位置に対応するケース側面にＩＣチップのリーダ／ライタを近接させることで、リーダ／ライタと光ディスク上のＩＣチップとの間で確実に通信できるようになる。また、コア部材を設けたことで、光ディスク上のアンテナと第１のアンテナとの電磁的な結合度合いが高まり、結果的にリーダ／ライタとＩＣチップとの間の通信の確実性が高まる。そして、すでに広く普及している光ディスクケースの基本構成を大きく変えることなく、その光ディスクケースを構成する光ディスクトレイにブースタアンテナおよびコア部材を配設することで、上記効果を得ることが可能になる。
【発明を実施するための最良の形態】
【００２１】
以下、本発明の実施の形態を図面を参照して詳細に説明する。初めに、各実施の形態で用いられる非接触型ＩＣチップ付きの光ディスクの基本的な構造と、この光ディスク上のＩＣチップとの間の通信方法について説明する。
【００２２】
図１は、非接触型ＩＣチップが搭載された光ディスクの構成例を示す平面図である。
図１に示す光ディスク１は、ＣＤ、ＤＶＤ、ブルーレイディスク（Blu-ray Disc，ソニー株式会社の商標）、ＨＤ（High Definition）−ＤＶＤなどの一般的な光ディスク媒体に共通する、以下のような基本的構造を有している。すなわち、この光ディスク１には、中央部に中心孔２が設けられており、この光ディスク１がディスクドライブに挿入されたときに、この中心孔２を中心に回転され、信号記録面にレーザ光が照射されて、その反射光の光量に応じて信号が読み取られる。
【００２３】
光ディスク１の中心孔２から所定距離分だけ外側の領域は、Ａｇ（銀）あるいはＡｌ（アルミニウム）などの導電性材料からなる反射膜が成膜された信号記録領域３となっている。なお、書き込み可能な光ディスクの場合には、この信号記録領域３には反射膜の他、記録膜や誘電体膜などがさらに成膜される。
【００２４】
信号記録領域３と中心孔２との間は、ディスクドライブ内でこの光ディスク１をチャッキングするための領域であり、チャッキング領域４などと呼ばれる。そして、このチャッキング領域４には、非接触型のＩＣチップ５と、このＩＣチップ５が外部のリーダ／ライタとの間で非接触で通信するためのアンテナコイル６とが設けられている。図１の例では、アンテナコイル６を３ターンのスパイラル状のものとしている。このような形状のアンテナコイル６は、例えば、通信周波数として１３．５６ＭＨｚに代表される短波帯を用いた場合に好適である。
【００２５】
なお、ＩＣチップ５の非接触通信のためのアンテナは、光ディスク１の回転時における重量バランスを保つために、中心孔２の周囲領域に、回転軸を中心としたスパイラル状（あるいはループ状）に設けられることが望ましい。また、このようなアンテナは、図１のようなチャッキング領域４に限らず、例えば、反射膜が成膜された領域の裏面や、その領域よりさらに外側のディスク縁部のディスク基板に設けられてもよい。ただし、チャッキング領域４およびその近傍にアンテナを配置した場合には、光ディスク１に対する加工領域を小さくできるというメリットがある。また、反射膜の成膜領域を避けてアンテナを配置することで、ディスク両面に信号を記録できることや、反射膜による電磁効果を軽減できることなどのメリットも生まれる。
【００２６】
図２は、非接触で通信する際のＩＣチップ側およびリーダ／ライタ側のアンテナ配置について説明するための図である。
光ディスク１上のＩＣチップ５と良好な通信を行う場合、リーダ／ライタ側のアンテナコイル１１は、図２（Ａ）に示すようにＩＣチップ５側のアンテナコイル６と近接して対向し、かつ互いに同軸上にあることが望ましい。しかし、ＩＣチップ５側のアンテナコイル６とリーダ／ライタ側のアンテナコイル１１との位置関係が上記の状態からずれるに従って、これらの間の通信状態は悪化する。そして、図２（Ｂ）に示すように、リーダ／ライタ側のアンテナコイル１１が光ディスク１の外縁のさらに外側にあり、かつ、このアンテナコイル１１とＩＣチップ５側のアンテナコイル６のそれぞれの軸が直交するような状態のときには、ほぼ通信が不可能であることが多い。
【００２７】
このように、各アンテナの位置関係によって良好な通信が不可能の場合でも、各アンテナの間の通信を仲介するブースタアンテナを用いることで、良好な通信が可能になる。図２（Ｂ）に示すブースタアンテナは、ＩＣチップ５側のアンテナコイル６と対向するアンテナコイル２１と、リーダ／ライタ側のアンテナコイル１１と対向するアンテナコイル２２とが、同調回路２３を介して互いに接続されて構成される。このようなブースタアンテナを用いることで、ＩＣチップ５側のアンテナコイル６とリーダ／ライタ側のアンテナコイル１１との間の通信状態を改善できる。
【００２８】
後述する各実施の形態では、ＩＣチップ５側のアンテナコイル６とリーダ／ライタ側のアンテナコイル１１とが図２（Ｂ）のような位置関係となるようなブースタアンテナを、光ディスク１を収納する光ディスクケースに設ける。これにより、光ディスク１が光ディスクケースに収納された状態で、ケース内の光ディスク１の法線方向からリーダ／ライタを近づけた場合にも、光ディスク１上のＩＣチップ５と良好に通信できるようにする。
【００２９】
図３は、ブースタアンテナを介したＩＣチップとリーダ／ライタとの通信に必要な回路の構成を概略的に示す図である。
光ディスク１に設けられるＩＣチップ５は、リーダ／ライタ１０との間で送受信する信号の変復調回路や制御回路、不揮発性記憶媒体などから構成される。ここでは一例として、ＩＣチップ５はリーダ／ライタ１０との間で電磁波を使用して通信するとともに、このＩＣチップ５はバッテリを持たず、リーダ／ライタ１０側から供給される電磁波から電磁誘導によって動作電力を得るものとする。また、リーダ／ライタ１０側と電磁波を送受信するためのアンテナコイル６は、同調回路７を介してＩＣチップ５と接続される。同調回路７は、例えばコイル、コンデンサ、抵抗などからなり、これらの回路部品のパラメータは、アンテナコイル６および同調回路７を含む回路が通信周波数に共振する共振回路を形成するように選択される。
【００３０】
一方、リーダ／ライタ１０の主回路１２は、例えば、ＩＣチップ５との間で送受信する信号や電源供給用電磁波の変復調回路などから構成される。この主回路１２は、ＩＣチップ５側と電磁波を送受信するためのアンテナコイル１１と、同調回路１３を介して接続される。同調回路１３の機能は、ＩＣチップ５側の同調回路７と同様である。
【００３１】
ブースタアンテナは、後述するように、２つのアンテナコイル２１および２２とそれらの間の同調回路２３とが１つの基板上に形成されたブースタアンテナユニット２０として、光ディスクケース１００に設けられる。同調回路２３の機能は、同調回路７および１３と同様である。
【００３２】
なお、各アンテナコイル２１および２２のインピーダンスが通信周波数と整合している場合には特に同調回路２３は不要であり、この場合にはアンテナコイル２１および２２を直接接続することができる。また、ＩＣチップ５側の同調回路７、およびリーダ／ライタ１０側の同調回路１３も、同様に必要に応じて設けられればよい。
【００３３】
さらに、光ディスクケース１００には、ブースタアンテナユニット２０のアンテナコイル２１と、光ディスク１のアンテナコイル６との間の電磁結合の度合い（結合係数）を高めるためのコア部材３０が設けられる。コア部材３０は、高透磁率材料からなり、少なくともその一部がアンテナコイル２１の中心部を貫通するように配置される。これにより、アンテナコイル２１を有芯コイルとして機能させる。
【００３４】
また、コア部材３０の一端は、光ディスク１が光ディスクケース１００に収納されたときに、少なくとも光ディスク１のアンテナコイル６の内部全体に行き渡るように（さらに好ましくは、その先端部がアンテナコイル６から突き出るように）配置されることが望ましい。これにより、アンテナコイル２１および６の双方の内部を貫通するような磁束を確実に発生させ、コイル間の通信効率を高めることができる。
【００３５】
ここで、２つのコイルがあるとき、それらの自己インダクタンスＬ1およびＬ2、相互インダクタンスＭ、結合係数ｋには、以下の式（１）のような関係が成り立つことが知られている。
【００３６】
【数１】
2008210484.tif 000003
【００３７】
式（１）において、ｋ＝０の場合は、例えばコイル間が磁気的にシールドされているなど、コイル間で結合がない状態であり、ｋ＝１の場合は、２つのコイルが完全に結合している状態となる。また、トランスなどのように２つのコイルの間に高透磁率材料からなるコアが挿入されることで、結合係数ｋを１に近づけることが可能になる。
【００３８】
相互インダクタンスの定義から、リーダ／ライタ１０からブースタアンテナを介してＩＣチップ５に誘導される電流は、ブースタアンテナ上のアンテナコイル２１および２２の両方の結合係数の影響を受けることが導出される。従って、図３に示すように、一方のアンテナコイル２１を有芯コイルとして、アンテナコイル６との間の結合係数ｋを高めることで、リーダ／ライタ１０とＩＣチップ５との間の通信能力を向上させることができる。
【００３９】
なお、コア部材３０は、例えば、軟磁性材料を磁性粉末として、その磁性粉末を焼結させる方法、あるいは、その磁性粉末をバインダーに混入して成形する方法などによって製造されればよい。特に、後者の方法では、例えば、バインダーとしてナイロン１２、ＰＰＳ（ポリフェニレンサルファイド）、ポリエチレンなどの合成樹脂材料を用い、磁性粉末をバインダーに混入させた上で、例えば射出成形などにより任意の形状のコア部材３０を容易に形成することができる。また、軟磁性材料としては、例えば、センダスト（Ｆｅ−Ａｌ−Ｓｉ系）、パーマロイ（Ｎｉ−Ｆｅ系）、アモルファス合金（Ｆｅ−Ｓｉ−Ｂ系、Ｃｏ−Ｆｅ−Ｓｉ−Ｂ系など）、フェライト（Ｎｉ−Ｚｎフェライト、Ｍｎ−Ｚｎフェライトなど）などを用いることができる。
【００４０】
図４は、ブースタアンテナユニットの基本的な構成を示す図である。
ここでは、以下の各実施の形態で共通に用いられるブースタアンテナユニット２０の基本的な構成について説明する。ブースタアンテナユニット２０は、ＩＣチップ５との通信用のアンテナコイル２１と、リーダ／ライタ１０との通信用のアンテナコイル２２と、各アンテナコイル２１および２２を接続する接続配線２４とからなるブースタアンテナが、フレキシブル基板２５の上に形成された構成をなしている。各アンテナコイル２１および２２、接続配線２４は、例えば、アルミニウム（Ａｌ）などの金属材料をフレキシブル基板２５上に印刷などによって薄板状（または薄膜状）に形成したものである。
【００４１】
また、ＩＣチップ５側のアンテナコイル２１の中心領域には、光ディスク１の保持部（後述する）を貫通させるために光ディスクケースに設けられた中心孔２６が、必要に応じて形成される。さらに、フレキシブル基板２５におけるアンテナコイル２１および２２の間の領域には、アンテナコイル２２の中心軸を、アンテナコイル２１の中心軸に対して垂直にするための折り曲げ部２７が形成されている。
【００４２】
なお、アンテナコイル２１および２２のアンテナ径や巻き数などは、それぞれＩＣチップ５側のアンテナコイル６およびリーダ／ライタ１０側のアンテナコイル１１のアンテナ径や巻き数などに応じて、良好な通信ができるように適切に決められればよい。また、この例では図３に示した同調回路２３が形成されていない場合を示したが、同調回路２３が必要な場合には、図４において、例えば、フレキシブル基板２５における接続配線２４が形成された領域に同調回路が設けられればよい。
【００４３】
次に、実施の形態に係る光ディスクケースについて具体的に説明する。
［実施の形態１］
図５および図６はそれぞれ、実施の形態１に係る光ディスクケースの構成を示す分解斜視図および断面図である。また、図７は、実施の形態１に係る光ディスクケースの外形を示す図である。なお、図６は、光ディスクを収納し、ケースを閉塞した状態で、図５中のＡ矢視から見たときの、ケース中央部付近の断面を示している。
【００４４】
本実施の形態の光ディスクケース１００ａは、基本的に、外部筐体を構成するベース部１１１およびカバー部１１２と、それらの内部に収容されるディスクトレイ１１３とから構成される。ベース部１１１とカバー部１１２とは連結部１１４において回転可能な状態で連結され、ベース部１１１に対してカバー部１１２が連結部１１４を中心として開閉するようになっている。また、カバー部１１２が閉じられた状態では、カバー部１１２がベース部１１１に対して嵌合して箱形の外形が形成され、その内部が密閉される。
【００４５】
ディスクトレイ１１３は、光ディスク１が装着される部材であり、ベース部１１１の内側に嵌着される。このディスクトレイ１１３には、光ディスク１が載置される円形凹状のディスク載置面１１５が形成され、その中心部には凸状のディスク保持部１１６が形成されている。ディスク保持部１１６の周囲は弾性を有し、このディスク保持部１１６に光ディスク１の中心孔２が嵌合されて、光ディスク１が保持される。
【００４６】
このようなベース部１１１、カバー部１１２、およびディスクトレイ１１３の３つの部材から構成される光ディスクケースは、主にＣＤ用の収納ケースとして最も一般的に流通されているものであり、“ジュエルケース”などと呼ばれる。なお、ベース部１１１、カバー部１１２、およびディスクトレイ１１３は、例えばポリスチレン樹脂材料によって形成され、一般には、少なくともベース部１１１およびカバー部１１２が透明樹脂材料により形成される。また、ベース部１１１およびカバー部１１２と、内部のディスクトレイ１１３とがそれぞれ別のメーカによって製造され、別々に流通される場合もある。
【００４７】
そして、本実施の形態では、このような既存の光ディスクケースに対して、ブースタアンテナユニット２０とコア部材３０ａが搭載される。本実施の形態では、ディスクトレイ１１３の裏面（ベース部１１１側の面）にブースタアンテナユニット２０が固着され、このブースタアンテナユニット２０とベース部１１１との間にコア部材３０ａが配設される。
【００４８】
ブースタアンテナユニット２０は、アンテナコイル２１の中心が、ディスク保持部１１６の中心に一致するように配設される。これにより、ディスク保持部１１６に光ディスク１が嵌合されたときに、ディスク側のアンテナコイル６とケース側のアンテナコイル２１の間で確実に電磁結合し、信号を送受信できるようになる。
【００４９】
また、リーダ／ライタ１０との通信用のアンテナコイル２２の形成領域は、アンテナコイル２１の形成領域に対して垂直になるように折り曲げられており、この領域は、ケース組み立て時には、ベース部１１１における、カバー部１１２の回転中心側の側面部１１７の内面に当接（または近接）して配置される。これにより、図７に示すように、リーダ／ライタ１０のアンテナコイル１１を側面部１１７に対向させた状態でリーダ／ライタ１０を近接させると、リーダ／ライタ１０と光ディスク１のＩＣチップ５との間で通信できるようになる。
【００５０】
なお、この実施の形態では、ブースタアンテナユニット２０における接続配線２４の形成領域が、ディスクトレイ１１３の裏面に密着するように裏面の形状に沿って折り曲げられている。また、アンテナコイル２２の形成領域は、接続配線２４の形成領域からベース部１１１側に折り曲げられている。
【００５１】
コア部材３０ａは、平坦部３１の中央部に突起部３２が形成された形状を有している。平坦部３１は、ブースタアンテナのアンテナコイル２１およびディスク側のアンテナコイル６のそれぞれより大きい半径を持つ円状の形状を有する。また、突起部３２の上面は、ディスクトレイ１１３のディスク保持部１１６の裏面（ベース部１１１側の面）に嵌り込むような形状を有しており、突起部３２がディスク保持部１１６の裏面に嵌め込まれたとき、突起部３２の上部（カバー部１１２側の端部）がディスク保持部１１６の上部とほぼ同じ高さとされる。このような構成により、光ディスク１がディスクトレイ１１３に保持されたとき、突起部３２が、ブースタアンテナユニット２０のアンテナコイル２１の中心だけでなく、光ディスク１側のアンテナコイル６の中心をも貫通するようになり、コア部材３０ａはアンテナコイル２１および６の結合係数ｋを高めるように作用する。
【００５２】
なお、コア部材３０ａの突起部３２は、最低限、アンテナコイル２１の中心を貫通するように配設されればよいが、さらに、この例のように、突起部３２がアンテナコイル６を貫通し、その先端部がアンテナコイル２１の形成領域の上端部と同じ高さになるか、あるいはそれより高くなるように配設されることで、アンテナコイル２１および６の両方を囲むように磁束が生じるようになり、コイル間の結合係数ｋをさらに高めることができる。
【００５３】
また、コア部材３０ａに突起部３２のみが設けられていても結合係数ｋを高める効果が得られるが、この例のように、アンテナコイル２１の下面（ベース部１１１側の面）にコア部材３０ａの平坦部３１が配置されることで、アンテナコイル２１および６の周囲に生じる磁束が平坦部３１を通るようになり、その磁束の広がりが抑制される。この結果、コイル間の結合係数ｋがさらに高められて、通信効率を高めることができる。
【００５４】
特に、平坦部３１の主面を、アンテナコイル２１および６の各形成領域が覆い尽くされるだけの大きさとする（この例の場合、円形状の平坦部３１の半径を各コイルの直径と同じか、それより大きくする）ことで、上記効果が顕著に得られる。さらに、コイル間の通信時において、ベース部１１１の外部からの電磁波の影響を軽減でき、ベース部１１１の外面側に他の光ディスクケース１００ａが配置された場合でも、光ディスク１のＩＣチップ５とリーダ／ライタ１０とが安定的に通信できるようにもなる。
【００５５】
本実施の形態の光ディスクケース１００ａは、例えば、以下のような工程により製造される。まず、上述したように、フレキシブル基板２５上に、アンテナコイル２１および２２と接続配線２４とが印刷などにより形成されたブースタアンテナユニット２０が、図４に示したように平坦な状態で作製される。一方、射出成型などによりディスクトレイ１１３が形成される。
【００５６】
次に、ブースタアンテナユニット２０の折り曲げ部２７や、接続配線２４の形成領域における所定の部分が折り曲げ加工され、折り曲げ加工後のブースタアンテナユニット２０が、その中心孔２６をディスクトレイ１１３のディスク保持部１１６の中心に位置合わせした状態で、ディスクトレイ１１３の下面に固着される。この例では、フレキシブル基板２５のうち、アンテナコイル２１および接続配線２４の形成面の裏面が、ディスクトレイ１１３に対して固着される。
【００５７】
ここで、フレキシブル基板２５とディスクトレイ１１３とは、例えば、紫外線硬化樹脂、ホットメルト樹脂、エポキシ樹脂系、シアノアクリレート系、合成ゴム系（好ましくはスチレン−ブタジエンゴム系）などの接着剤あるいは粘着材などによって接着される。このとき、接着面にあらかじめプライマを塗布して、より確実に接着されるように接着面を改質しておいてもよい。
【００５８】
なお、ブースタアンテナは、本実施の形態のように基板と一体化した構成に限らず、例えば、細い金属線のみから構成されてもよい。この場合、アンテナコイル２１および２２は、例えば、それぞれ巻き線機などにより巻き線された空芯コイルとして形成されればよい。
【００５９】
次に、ブースタアンテナユニット２０が固着されたディスクトレイ１１３の裏面に対して、コア部材３０ａがさらに固着される。上述したように、コア部材３０ａの突起部３２はディスク保持部１１６の裏面に嵌め込まれ、平坦部３１は、ブースタアンテナユニット２０を介してディスクトレイ１１３の裏面に密着する。なお、コア部材３０ａとディスクトレイ１１３との接着にも、上述した各種接着剤あるいは粘着材を用いることができる。また、コア部材３０ａは、平坦部３１と突起部３２とを個別に形成した後に、一体化することで作製されてもよい。
【００６０】
一方、ベース部１１１とカバー部１１２は射出成型により形成され、それらは連結部１１４において回転可能に連結される。そして、カバー部１１２を開いた状態で、ベース部１１１の内部に、ブースタアンテナユニット２０およびコア部材３０ａが固着されたディスクトレイ１１３が嵌め込まれて固定される。このとき、ブースタアンテナユニット２０のアンテナコイル２２は、ベース部１１１の側面部１１７の内側に密着するように配置される。
【００６１】
なお、上記構成の光ディスクケース１００ａでは、ディスクトレイ１１３にブースタアンテナユニット２０およびコア部材３０ａが固着された状態の部品が流通され、この部品が、これとは別に流通されたベース部１１１およびカバー部１１２に対して、別のメーカあるいはユーザによって取り付けられてもよい。
【００６２】
また、当然ながら、ベース部１１１に対してディスクトレイ１１３が嵌着された後、そのベース部１１１にカバー部１１２を連結してもよい。また、ブースタアンテナユニット２０およびコア部材３０ａは、ディスクトレイ１１３ではなく、ベース部１１１の内面（ディスクトレイ１１３側の面）に固着されてもよい。
【００６３】
以上説明した実施の形態１では、既存のジュエルケース型の光ディスクケースの構造や形状を変えることなく、簡易な工程でブースタアンテナユニット２０およびコア部材３０ａを搭載させることができる。この結果、ベース部１１１の側面部１１７にこの側面部１１７と対向させた状態でリーダ／ライタ１０を近づけることで、リーダ／ライタ１０と光ディスク１のＩＣチップ５との間で確実に通信させることが可能になる。
【００６４】
特に、このような光ディスクケース１００ａを多数、収納棚に収容した場合には、光ディスクケース１００ａ同士はディスク面に平行な面（ケース主面）で互いに接触（または近接）するので、このケース主面にリーダ／ライタ１０をかざしてＩＣチップ５と通信させることは不可能になる。しかし、収納棚に収容した状態でも、光ディスクケース１００ａの少なくとも１つの側面（側面部１１７）は外部に露出しているので、この側面に、ブースタアンテナのアンテナコイル２２を設けておけば、この側面にリーダ／ライタ１０をかざすことでＩＣチップ５との通信が可能となる。
【００６５】
収納棚に収容した状態で光ディスク１上のＩＣチップ５と通信できれば、例えば、ＩＣチップ５に楽曲などの情報を記録しておき、この情報をリーダ／ライタ１０で読み出して表示装置に表示することや、指定したキーワードに合致する情報がＩＣチップ５に記録されていたときに、音声や光などで知らせるなど、所望の楽曲やデータが収録された光ディスクの検索を容易にするといった使い方が可能になる。
【００６６】
また、ブースタアンテナユニット２０およびコア部材３０ａが固着された状態のディスクトレイ１１３が単独で販売された場合には、既存のジュエルケース型の光ディスクケースをすでに所有しているユーザは、そのケース全体を交換するのではなく、内部のディスクトレイのみを購入して交換するだけで、上記の付加機能によるメリットを享受できるようになる。
【００６７】
なお、ブースタアンテナユニット２０のアンテナコイル２２は、基本的に、ベース部１１１のトレイ取り付け面の４辺にそれぞれ接続する側面のいずれかに当接（または近接）するように配設されればよい。すなわち、アンテナコイル２２が当接された側面にリーダ／ライタ１０をかざすことで、光ディスク１上のＩＣチップ５と通信できるようになる。
【００６８】
ただし、上記構成の光ディスクケース１００ａでは、一般的に、カバー部１１２の回転中心側の側面部１１７の内部に紙部材が配設されて、この側面部１１７を通して光ディスク１に記録されたコンテンツのタイトルなどが表示されることが多い。このため、この光ディスクケース１００ａを収納棚に収納した際には、側面部１１７が収納棚の外部に露出する状態となることが多い。また、側面部１１７の側にアンテナコイル２２を配設することで、他の側面に配設した場合と比較して、光ディスク１の着脱の際にユーザがアンテナコイル２２に接触してこれを破損する事態を防止できる。このような点から、アンテナコイル２２は側面部１１７に当接するように配設されることが最も好ましく、本明細書に記載したすべての実施の形態では、カバー部の回転中心側の側面にリーダ／ライタ１０との通信用のアンテナコイル２２を配設した例を示すこととする。
【００６９】
また、図７では、非接触型ＩＣチップ専用のリーダ／ライタ１０の例を示したが、このリーダ／ライタ１０の形状や構成はあくまで一例である。リーダ／ライタの他の構成としては、例えば、光ディスクの再生・記録機器などのためのリモートコントローラにリーダ／ライタ機能を設け、そのリモートコントローラの先端部にアンテナコイルを配置しておくことなども考えられる。
【００７０】
［実施の形態２］
図８および図９はそれぞれ、実施の形態２に係る光ディスクケースの構成を示す分解斜視図および断面図である。なお、図９は、光ディスクを収納し、ケースを閉塞した状態で、図８中のＢ矢視から見たときのケース中央部付近の断面を示している。また、これらの図８および図９では、図５および図６に対応する部位には同じ符号を付して示している。
【００７１】
図８に示す光ディスクケース１００ｂは、実施の形態１の光ディスクケース１００ａを変形したものである。すなわち、光ディスクケース１００ｂは、実施の形態１と同様に、ベース部１１１に対してカバー部１１２が連結部１１４において回転可能に連結され、ベース部１１１の内側にディスクトレイ１１３が嵌合された基本構造を有している。そして、本実施の形態では、ブースタアンテナユニット２０のＩＣチップ５側のアンテナコイル２１が、ディスクトレイ１１３の表側（カバー部１１２側）に固着されている。
【００７２】
アンテナコイル２１は、中心孔２６にディスク保持部１１６が貫通するように配設され、これにより光ディスク１がディスク保持部１１６に保持されたとき、ブースタアンテナ側のアンテナコイル２１とディスク側のアンテナコイル６とが電磁結合する。また、この例では、接続配線２４の形成領域の一部がディスクトレイ１１３を貫通し、アンテナコイル２２がディスクトレイ１１３の裏側に配置されている。
【００７３】
実施の形態１と同様に、アンテナコイル２２の形成領域は、アンテナコイル２１の形成領域に対して垂直になるように折り曲げられており、アンテナコイル２２は、ケース組み立て時において側面部１１７に当接（または近接）して配置される。これにより、リーダ／ライタ１０のアンテナコイル１１を側面部１１７に近づけると、リーダ／ライタ１０と光ディスク１のＩＣチップ５との間で通信できるようになる。
【００７４】
また、ディスクトレイ１１３の裏面には、コア部材３０ｂが固着されている。コア部材３０ｂは、実施の形態１と同様に、平坦部と突起部３２とからなり、突起部３２は、ディスクトレイ１１３のディスク保持部１１６の内面に嵌り込むように形成されている。すなわち、突起部３２は、アンテナコイル２１および６の双方を貫通するように配設されている。これにより、アンテナコイル２１および６の間の結合係数ｋが高められ、これらの間で安定的に通信できるようになる。
【００７５】
さらに、本実施の形態では、カバー部１１２の内面（ディスクトレイ１１３側の面）にも、平板状の高透磁率部材４１が固着されている。この高透磁率部材４１は、コア部材３０ｂの平坦部とほぼ同じ大きさの円形形状をなし、その中心がケース閉塞時にディスク保持部１１６の中心と一致するように配設されている。これにより、カバー部１１２の方向への磁束の広がりが抑制され、アンテナコイル２１および６の結合係数ｋをさらに高めることが可能になる。また、カバー部１１２の外側からの電磁波の影響を軽減し、アンテナコイル２１および６の間の通信を安定化することができる。
【００７６】
以上の実施の形態２においても、既存のジュエルケース型の収納ケースに対して、その基本的な構造を大きく変えることなく、ブースタアンテナユニット２０、コア部材３０ｂ、および高透磁率部材４１を取り付けるだけで、側面部１１７の外部からリーダ／ライタ１０を近づけたときに、このリーダ／ライタ１０と光ディスク１上のＩＣチップ５との間で確実に通信できるようになる。
【００７７】
また、このような光ディスクケース１００ｂについては、実施の形態１の場合と同様に、ブースタアンテナユニット２０およびコア部材３０ｂをディスクトレイ１１３に対して固着した後、このディスクトレイ１１３をベース部１１１に対して嵌め込むことで、製造することができる。従って、ブースタアンテナユニット２０およびコア部材３０ｂが搭載されたディスクトレイ１１３を、ベース部１１１およびカバー部１１２とは別の部品として流通させることもできる。
【００７８】
なお、この実施の形態２においては、ブースタアンテナユニット２０における接続配線２４の形成領域をディスクトレイ１１３に貫通させることで、アンテナコイル２２をディスクトレイ１１３の裏面に配置しているが、この他に例えば、接続配線２４の形成領域全体をディスクトレイ１１３の上面に固着させ、ディスクトレイ１１３の側面部１１７の方向の端部に切り欠きを形成して、その切り欠きからアンテナコイル２２の形成領域をディスクトレイ１１３の裏面に通して配置させる構造としてもよい。
【００７９】
また、本実施の形態の高透磁率部材４１を、前述した実施の形態１に係る光ディスクケース１００ａのカバー部１１２に配設することもできる。
［実施の形態３］
図１０は、実施の形態３に係る光ディスクケースの構成を示す断面図である。なお、この図１０では、図６および図９に対応する部位には同じ符号を付して示している。
【００８０】
図１０に示す光ディスクケース１００ｃは、実施の形態２の光ディスクケース１００ｂを変形したものであり、ベース部１１１、カバー部１１２、およびディスクトレイ１１３からなるケース本体の基本的な構成、および、ブースタアンテナユニット２０の配設位置については、実施の形態２と同様である。ただし、この実施の形態３では、アンテナコイル２１の下面に配設されるコア部材３０ｃが、ディスクトレイ１１３の一部を構成するように設けられている点と、カバー部１１２に固着された高透磁率部材４２の形状とが、実施の形態２とは異なっている。
【００８１】
コア部材３０ｃは、ディスクトレイ１１３の略中央部に嵌合あるいは固着されており、このコア部材３０ｃに、凸状のディスク保持部１１６ａが設けられている。このような構成により、ディスク保持部１１６ａ自体がアンテナコイル２１および６の磁気コアとして機能するようになり、コイル間の結合係数ｋが高められる。なお、例えば、コア部材３０ｃの形成領域をディスク保持部１１６ａのみとした場合でも、コイル間の結合係数ｋを高める効果を得ることができる。
【００８２】
また、高透磁率部材４２は、実施の形態２と同様に、アンテナコイル２１および６の外径と同じか、あるいはそれより大きな直径の円形形状を有しているが、その中央部および外縁部が、ディスクトレイ１１３側に対して突出するように形成されている。このような形状により、アンテナコイル２１および６の周囲に生じる磁束が、高透磁率部材４２の外縁部からその内部を通って中央部に至るように（あるいはその逆方向に）誘導されるようになり、アンテナコイル２１および６の結合係数ｋが、実施の形態２と比較してさらに高められる。
【００８３】
この光ディスクケース１００ｃの製造工程においては、ディスク載置面の中央部に孔を有するディスクトレイ１１３が形成され、そのディスクトレイ１１３の中央孔に対してコア部材３０ｃが嵌合または固着された後、あらかじめ折り曲げ加工されたブースタアンテナユニット２０がディスク載置面上に固着されればよい。従って、このようにコア部材３０ｃおよびブースタアンテナユニット２０が搭載されたディスクトレイ１１３を、ベース部１１１およびカバー部１１２とは別の部品として流通させることもできる。
【００８４】
なお、本実施の形態の変形例として、例えば、ディスク保持部１１６ａと一体のコア部材３０ｃを、ディスクトレイ１１３の上面に対して、ディスク載置面が平坦になるように固着する構造としてもよい。また、ディスク保持部１１６ａを含むディスクトレイ１１３の全体を、高透磁率部材からなるコア部材として形成してもよい。
【００８５】
また、本実施の形態で説明した形状の高透磁率部材４２を、前述した実施の形態１あるいは２に係る光ディスクケースのカバー部に配設することもできる。
［実施の形態４］
図１１は、実施の形態４に係る光ディスクケースの構成を示す斜視図である。
【００８６】
この図１１に示す光ディスクケース２００では、ベース部２１１とカバー部２１２とからケース本体が構成されており、ベース部２１１とカバー部２１２とは、連結部２１３において回転可能に連結されている。また、実施の形態１〜３とは異なり、ベース部２１１の内面にディスク載置面２１４が形成され、ベース部２１１の内側に光ディスク１が収容される構成となっている。ベース部２１１およびカバー部２１２は、例えばポリスチレン樹脂材料によって形成される。このような基本的な構成を持つ光ディスクケースは、実施の形態１〜３に示した構成の光ディスクケースより薄型のＣＤ用、ＤＶＤ用などの収納ケースとして、すでに広く流通しているものである。
【００８７】
そして、本実施の形態では、このような光ディスクケース２００のディスク載置面２１４に、ブースタアンテナが形成されたブースタアンテナユニット２０が固着されている。さらに、このディスク載置面２１４の中央部に、高透磁率材料からなるコア部材３０ｄが嵌合または固着されており、コア部材３０ｄの中央部に光ディスク１を保持するための凸状のディスク保持部２１５が一体に形成されている。また、ブースタアンテナユニット２０は、アンテナコイル２１の中心孔２６にディスク保持部２１５が貫通するように配置されている。
【００８８】
なお、アンテナコイル２２の形成領域は、アンテナコイル２１の形成領域に対して垂直となるように折り曲げられ、カバー部２１２が閉じられたときには、カバー部２１２におけるベース部２１１との連結方向側の側面部２１６の内面に当接または近接して配置される。また、接続配線２４が形成された領域は、実際には、ベース部２１１のディスク載置面２１４の内面と密着するように、その内面の凹凸に沿って適宜折り曲げられればよい。
【００８９】
以上の構成の光ディスクケース２００では、光ディスク１が収納されてカバー部２１２が閉じられたときに、アンテナコイル２１および６の周囲に生じる磁束の広がりがコア部材３０ｄによって抑制されるので、アンテナコイル２１および６の結合係数ｋをより高めることができる。従って、ケース閉塞時において、側面部２１６の外側からリーダ／ライタ１０を近づけることで、このリーダ／ライタ１０と光ディスク１上のＩＣチップ５との間で確実に通信できるようになる。そして、このような効果を、既存の薄型収納ケースの基本構造を大きく変えることなく得ることができる。
【００９０】
なお、本実施の形態の変形例として、例えば、ディスク保持部２１５と一体のコア部材３０ｄを、ベース部２１１の内面に対して、ディスク載置面が平坦になるように固着する構造としてもよい。また、ベース部２１１自体を高透磁率部材によって形成し、ベース部２１１とディスク保持部２１５とを一体に形成して、ベース部２１１全体がコア部材として機能するようにしてもよい。
【００９１】
さらに、ディスク保持部２１５の領域のみを、高透磁率材料からなるコア部材として形成しても、アンテナコイル２１および６の結合係数ｋを高める効果を得ることが可能である。また、前述した実施の形態２あるいは３における高透磁率部材４１あるいは４２を、カバー部２１２の内面にさらに配設してもよい。
【００９２】
［実施の形態５］
図１２および図１３はそれぞれ、実施の形態５に係る光ディスクケースの構成を示す平面図および斜視図である。
【００９３】
本実施の形態の光ディスクケース３００は、基本的に、表面カバー部３１１と裏面カバー部３１２とを備えた２つ折りの箱形形状を有している。表面カバー部３１１と裏面カバー部３１２とはケース側面部３１３を介して折り曲げ可能に接続されており、これらは例えばポロプロピレンなどの樹脂材料によって一体に形成されている。すなわち、表面カバー部３１１および裏面カバー部３１２は、それぞれケース側面部３１３との境界部である折り曲げ部３１４および３１５において９０度折り曲げられ、このとき、表面カバー部３１１と裏面カバー部３１２とが対向する状態となって内部が密閉される。また、このときケース側面部３１３は、表面カバー部３１１および裏面カバー部３１２に対して垂直な状態となって、光ディスクケース３００の１つの側面を構成するようになる。なお、図１２は、表面カバー部３１１および裏面カバー部３１２が開いた状態での、ケース内面側から見たときの図を示している。
【００９４】
裏面カバー部３１２の内面には、光ディスク１が載置されるディスク載置面３１６が形成されており、このディスク載置面３１６の中央部に設けられた凸状のディスク保持部３１７によって、光ディスク１が保持される。一方、表面カバー部３１１の内面は、例えば光ディスク１に収録されたコンテンツを説明するための冊子などを収容するための冊子収容面３１８となっており、この面には冊子を保持し、かつ係止するための凸状の係止部３１９ａおよび３１９ｂが形成されている。以上のような基本構成を有する光ディスクケースは、主にＤＶＤ用の収納ケースとして最も一般的に流通されているものであり、“トールケース”などと呼ばれる。
【００９５】
そして、本実施の形態では、このような光ディスクケース３００のディスク載置面３１６に、ブースタアンテナが形成されたブースタアンテナユニット２０が固着されている。さらに、このディスク載置面３１６の中央部に、高透磁率材料からなるコア部材３０ｅが嵌合または固着されており、コア部材３０ｅの中央部にディスク保持部３１７が一体に形成されている。
【００９６】
ブースタアンテナユニット２０は、アンテナコイル２１の中心孔２６にディスク保持部３１７が貫通するように配置されている。これにより、光ディスク１をディスク保持部３１７に取り付けたときに、光ディスク１上のアンテナコイル６の中心にもディスク保持部３１７が貫通されるようになり、アンテナコイル２１および６の結合係数ｋが高められる。
【００９７】
また、ブースタアンテナユニット２０が裏面カバー部３１２に固着されたとき、アンテナコイル２２の形成領域は、ケース側面部３１３の内面に配置されて固着される。そして、光ディスクケース３００が閉じられるときには、折り曲げ部３１４および３１５が折り曲げられるのに連動して、アンテナコイル２２の形成領域と接続配線２４の形成領域との境界の折り曲げ部２７も、最大９０度だけ折り曲げられる。この結果、図１３に示すように、ケース側面部３１３の外側にリーダ／ライタ１０をかざしたときに、リーダ／ライタ１０のアンテナコイル１１とアンテナコイル２２とが電磁結合されるようになる。
【００９８】
なお、ブースタアンテナユニット２０は、あらかじめ折り曲げ部２７を境界とした９０度の折り曲げ加工が施された後、裏面カバー部３１２の内面に固着されてもよい。この場合、アンテナコイル２１および接続配線２４の形成領域のみが裏面カバー部３１２に固着されればよい。また、ブースタアンテナユニット２０を裏面カバー部３１２に固着する際には、接続配線２４の形成領域は、裏面カバー部３１２の内面に密着するように、その内面の凹凸に合わせて適宜折り曲げ加工されればよい。この折り曲げ加工は、裏面カバー部３１２への取り付け前に行ってもよいし、裏面カバー部３１２へ取り付ける際に押圧することで行ってもよい。また、接続配線２４の形成領域を平坦な状態のまま固着できるように、裏面カバー部３１２の内面の対応する領域を平坦に形成しておいてもよい。
【００９９】
以上の構成の光ディスクケース３００では、光ディスク１が収納されてケースが閉じられたときに、アンテナコイル２１および６の周囲に生じる磁束の広がりがコア部材３０ｅによって抑制されるので、アンテナコイル２１および６の結合係数ｋをより高めることができる。従って、ケース閉塞時において、ケース側面部３１３の外側からリーダ／ライタ１０を近づけることで、このリーダ／ライタ１０と光ディスク１上のＩＣチップ５との間で確実に通信できるようになる。そして、このような効果を、既存のトールケース型収納ケースの基本構造を大きく変えることなく得ることができる。
【０１００】
なお、本実施の形態の変形例として、例えば、ディスク保持部３１７と一体のコア部材３０ｅを、裏面カバー部３１２の内面に対して、ディスク載置面が平坦になるように固着する構造としてもよい。また、ディスク保持部３１７の領域のみを、高透磁率材料からなるコア部材として形成しても、アンテナコイル２１および６の結合係数ｋを高める効果を得ることが可能である。さらに、前述した実施の形態２あるいは３における高透磁率部材４１あるいは４２を、表面カバー部３１１の内面にさらに配設してもよい。
【０１０１】
以上説明した各実施の形態によれば、すでに広く普及している各種光ディスクケースの構造を大きく変えることなく、その光ディスクケースにブースタアンテナやコア部材などを簡易な工程で搭載させることが可能となり、これによって、光ディスクケースの側面（ケース主面に対して垂直な面）からリーダ／ライタを近接させて、光ディスク上のＩＣチップと確実に通信することができるようになる。
【０１０２】
このため、光ディスクケースの製造に必要な金型や、製造工程、製造設備などの大幅な変更が必要とならないので、従来と比較して製造コストを大きく上昇させることなく、上述したような付加機能を備えた光ディスクケースを製造することができる。
【０１０３】
また、ユーザの観点では、上述した付加機能が備えられたにもかかわらず、光ディスクケースの持ち運びや開閉操作、光ディスクの着脱操作に関しては従来と何ら変わることがないというメリットがある。さらに、光ディスクケースの形状や大きさについても特に変更されないので、すでに光ディスクケースが収納されている収納棚に、付加機能が備えられた光ディスクケースを問題なく収納することができ、収納棚を買い換えるといった不都合が生じない。
【０１０４】
また、光ディスク（または光ディスクに収録したコンテンツ）の販売店などに設けられた収納棚や、光ディスクケース（またはこのケースに収容された状態の光ディスク）を輸送するためのケース（段ボール箱などの梱包材を含む輸送用コンテナなど）についても、従来のものをそのまま使用できる。従って、流通過程でのコストをまったく上昇させることなく、ＩＣチップを用いた商品管理など、上記の付加機能によるメリットを流通側も享受できる。
【０１０５】
なお、上記の各実施の形態では、ブースタアンテナの備える非接触型ＩＣチップ側およびリーダ／ライタ側の各アンテナをコイル状（スパイラル状）としたが、これらのアンテナはこのような形状に限定されるものではなく、非接触型ＩＣチップの通信仕様（通信周波数、通信に必要な電波・電磁波の強度、アンテナによる電波・電磁波の放射パターンなど）に応じて適宜選択されればよい。例えば、ブースタアンテナの非接触型ＩＣチップ側のアンテナは、光ディスクケースのディスク保持部を中心としてその周囲に近接して配設されればよい。そして、そのアンテナとしてダイポール型アンテナを用いた場合には、例えば単純な直線状ではなく、折り曲げた形状や曲線状として、ディスク保持部の周囲に近接して配置されればよい。
【図面の簡単な説明】
【０１０６】
【図１】非接触型ＩＣチップが搭載された光ディスクの構成例を示す平面図である。
【図２】非接触で通信する際のＩＣチップ側およびリーダ／ライタ側のアンテナ配置について説明するための図である。
【図３】ブースタアンテナを介したＩＣチップとリーダ／ライタとの通信に必要な回路の構成を概略的に示す図である。
【図４】ブースタアンテナユニットの基本的な構成を示す図である。
【図５】実施の形態１に係る光ディスクケースの構成を示す分解斜視図である。
【図６】実施の形態１に係る光ディスクケースの構成を示す断面図である。
【図７】実施の形態１に係る光ディスクケースの外形を示す図である。
【図８】実施の形態２に係る光ディスクケースの構成を示す分解斜視図である。
【図９】実施の形態２に係る光ディスクケースの構成を示す断面図である。
【図１０】実施の形態３に係る光ディスクケースの構成を示す断面図である。
【図１１】実施の形態４に係る光ディスクケースの構成を示す斜視図である。
【図１２】実施の形態５に係る光ディスクケースの構成を示す平面図である。
【図１３】実施の形態５に係る光ディスクケースの構成を示す斜視図である。
【符号の説明】
【０１０７】
１……光ディスク、２，２６……中心孔、３……信号記録領域、４……チャッキング領域、５……ＩＣチップ、６，１１，２１，２２……アンテナコイル、７，１３，２３……同調回路、１０……リーダ／ライタ、１２……主回路、２０……ブースタアンテナユニット、２４……接続配線、２５……フレキシブル基板、２７……折り曲げ部、３０，３０ａ〜３０ｃ……コア部材、４１，４２……高透磁率部材、３１……平坦部、３２……突起部、１００，１００ａ〜１００ｃ……光ディスクケース、１１１……ベース部、１１２……カバー部、１１３……ディスクトレイ、１１４……連結部、１１５……ディスク載置面、１１６……ディスク保持部、１１７……側面部
【図１】
2008210484.tif 000004
【図２】
2008210484.tif 000005
【図３】
2008210484.tif 000006
【図４】
2008210484.tif 000007
【図５】
2008210484.tif 000008
【図６】
2008210484.tif 000009
【図７】
2008210484.tif 000010
【図８】
2008210484.tif 000011
【図９】
2008210484.tif 000012
【図１０】
2008210484.tif 000013
【図１１】
2008210484.tif 000014
【図１２】
2008210484.tif 000015
【図１３】
2008210484.tif 000016